(57)【要約】【課題】コストアップなしに、対応しない操作部の誤接続をしたときには簡単に誤接続を認識できること。【解決手段】機器を制御する第１の制御手段２と、第１の制御手段２に接続して操作信号を入力する第１の操作部３を備え、第１の制御手段２とは異なる第２の制御手段６に接続して操作信号を入力する第２の操作部７を第１の制御手段２に接続した場合に第２の操作部７において使用頻度の最も高い加熱開始キーＫ１を操作すると操作部が有する本来の動作とは異なる誤作動をするようにするものである。これにより、制御手段に対応していない操作部の誤接続をしたときには、簡単かつ確実に誤接続を動作確認にて認識することができるようにすることができる。【選択図】図１
2011187358.tif 000002
【特許請求の範囲】
【請求項１】
機器を制御する第１の制御手段と、前記第１の制御手段に接続して操作信号を入力する第１の操作部を備え、前記第１の制御手段とは異なる第２の制御手段に接続して操作信号を入力する第２の操作部を前記第１の制御手段に接続した場合に前記第２の操作部を操作すると操作部が有する本来の動作とは異なる誤作動をするようにし、前記第１の制御手段に接続した前記第２の操作部を操作したときに誤作動するキーを使用頻度の最も高い加熱開始キーに設定した加熱調理器。
【請求項２】
第１の操作部と第２の操作部は、操作することで回路を短絡し変化後の電位を第１の制御手段に操作信号として入力する複数のキーを有し、前記第１の制御手段に接続した第２の操作部の前記加熱開始キーを操作したときには加熱開始しないものとした請求項１に記載の加熱調理器。
【請求項３】
第１の操作部と第２の操作部は各々複数のキーを有し、前記複数のキーに共用の第１の抵抗と、各々のキーと直列に配列した第２の抵抗との分圧による電圧レベルのキーの操作信号を第１の制御手段または第２の制御手段に伝えるものとし、前記第１の操作部と前記第２の操作部は、配線板を共用として、前記各々のキーに対応して直列に配列した前記第２の抵抗の抵抗値について前記各々のキーとの対応を入れ替えることで区別するようにした請求項２に記載の加熱調理器。
【請求項４】
第１の操作部と第２の操作部は各々複数のキーを有し、各々のキーに直列に配列した第３の抵抗とキーとの分圧によるキーの操作信号を所定電位より高電位か低電位かを第１の制御手段または第２の制御手段が判断してキー入力を判定するものとし、前記第１の操作部と前記第２の操作部は、配線板を共用として、使用しないキーに並列にジャンパー線などの短絡手段を接続して強制的に使用しないキーの操作信号を出力し、第１の制御手段は有効な特定のキー操作入力を電源起動直後から所定の時間以上検知すると前記第１の操作部ではない前記第２の操作部が接続されていると判断するようにした請求項１に記載の加熱調理器。
【請求項５】
短絡手段は、使用しないキーの実装穴に実装するものとした請求項４に記載の加熱調理器。
【請求項６】
第１の制御手段または第２の制御手段に接続して機器の状態などを表示する表示部を備え、第２の制御手段が本来キーとして設定していないキーの操作信号を入力することにより操作部の誤接続を認識したときには前記表示部に異常表示を行うものとした請求項１〜５のいずれか１項に記載の加熱調理器。
【発明の詳細な説明】
【技術分野】
【０００１】
本発明は、鍋などの被加熱物を加熱し調理する加熱調理器に関するものである。
【背景技術】
【０００２】
従来、この種の加熱調理器は、複数の加熱部を有し、ニーズに応じて生産性を保ちつつ操作表示部の変更を簡単にできるようにしたものがある（例えば、特許文献１参照）。
【０００３】
特許文献１によれば、調理物を加熱する加熱手段と、加熱開始などの操作を行い動作中の状態などを表示する操作表示部と、加熱手段や操作表示部を制御する制御手段とを各々複数備え、複数の前記加熱手段と複数の前記制御手段を各々同一の構成とし、前記操作表示部は異なる複数の操作表示部のうちから各々いずれか１つを選択して接続できるように構成することにより、簡単な構成によりニーズに応じて操作表示部の変更が簡単にできるというものである。
【先行技術文献】
【特許文献】
【０００４】
【特許文献１】特開２００９−５９４９１号公報
【発明の概要】
【発明が解決しようとする課題】
【０００５】
しかしながら、前記従来の構成では、様々なニーズの中の一つの形態である複数の異なる制御手段と、複数の異なる操作表示部とを各々対応させる場合に、制御手段に対応していない操作表示部を誤接続すると、加熱開始などのいくつかの運転操作を行っていく中の一部で所望の仕様と異なる動作となるので、簡単な操作で短時間に誤接続を判別することができないという課題を有していた。
【０００６】
このような誤接続を識別するためには、制御手段と操作表示部とを接続する時に操作表示部から制御手段に対して、各々固有の識別信号を別途出力させて相互の対応関係を確認する構成にしたり、あるいは、操作に関するすべての仕様について検査をおこなう必要が有り、識別のためのコストアップあるいは検査時間の増加による生産性の低下など新たな課題を生じる。
【０００７】
本発明は、前記従来の課題を解決するもので、商品形態の多様化に対応する操作表示部の変更を生産性の高さを保ちつつ、コストアップなしに、制御手段に対応していない操作表示部の誤接続を簡単な操作で短時間に認識できる加熱調理器を提供することを目的とする。
【課題を解決するための手段】
【０００８】
前記従来の課題を解決するために、本発明の加熱調理器は、機器を制御する第１の制御手段と、前記第１の制御手段に接続して操作信号を入力する第１の操作部を備え、前記第１の制御手段とは異なる第２の制御手段に接続して操作信号を入力する第２の操作部を前記第１の制御手段に接続した場合に前記第２の操作部を操作すると操作部が有する本来の動作とは異なる誤作動をするようにし、第１の制御手段に接続した第２の操作部を操作したときに誤作動するキーを使用頻度の最も高い加熱開始キーに設定したものである。
【０００９】
これによって、制御手段に対応していない操作部を誤接続したときには簡単な操作で短時間に誤接続を認識でき、生産性の高さを保ちつつ、コストアップなしに、商品形態の多様化に対応できる加熱調理器を提供することができる。
【発明の効果】
【００１０】
本発明の加熱調理器は、制御手段に適合していない操作部の誤接続を簡単な操作で短時間に誤接続を認識できるようにして、生産性の高さを保ちつつ、コストアップなしに商品形態の多様化に対応することができる。
【図面の簡単な説明】
【００１１】
【図１】（ａ）本発明の実施の形態１における加熱調理器の第１形態のブロック図（ｂ）本発明の実施の形態１における加熱調理器の第２形態のブロック図（ｃ）本発明の実施の形態１における加熱調理器の誤接続の第１形態のブロック図（ｄ）本発明の実施の形態１における加熱調理器の誤接続の第２形態のブロック図
【図２】（ａ）本発明の実施の形態１、２における加熱調理器の第１形態の第１の操作ユニット図（ｂ）本発明の実施の形態１、２における加熱調理器の第２形態の第２の操作ユニット図
【図３】（ａ）本発明の実施の形態２における加熱調理器の第１形態のブロック図（ｂ）本発明の実施の形態２における加熱調理器の第２形態のブロック図（ｃ）本発明の実施の形態２における加熱調理器の誤接続の第１形態のブロック図（ｄ）本発明の実施の形態２における加熱調理器の誤接続の第２形態のブロック図
【発明を実施するための形態】
【００１２】
第１の発明は、機器を制御する第１の制御手段と、前記第１の制御手段に接続して操作信号を入力する第１の操作部を備え、前記第１の制御手段とは異なる第２の制御手段に接続して操作信号を入力する第２の操作部を前記第１の制御手段に接続した場合に前記第２の操作部を操作すると操作部が有する本来の動作とは異なる誤作動をするようにし、第１の制御手段に接続した第２の操作部を操作したときに誤作動するキーを使用頻度の最も高い加熱開始キーに設定することにより、制御手段に適合していない操作部を誤接続したときには簡単な操作で短時間に確実に誤接続を動作確認にて認識できるので、生産性の高さを保ちつつ、コストアップなしに、商品形態の多様化に対応することができる。
【００１３】
第２の発明は、特に、第１の発明において、第１の操作部と第２の操作部は、操作することで回路を短絡し変化後の電位を第１の制御手段に操作信号として入力する複数のキーを有し、前記第１の制御手段に接続した第２の操作部の前記加熱開始キーを操作したときには加熱開始しないものとしたことにより、制御手段に対応していない操作部の誤接続をしたときにはより簡単かつ安全に誤接続を動作確認にて認識することができる。
【００１４】
第３の発明は、特に、第２の発明において、第１の操作部と第２の操作部は各々複数のキーを有し、複数のキーに共用の第１の抵抗と、各々のキーと直列に配列した第２の抵抗との分圧による電圧レベルのキーの操作信号を第１の制御手段または第２の制御手段に伝えるものとし、第１の操作部と第２の操作部は、配線板を共用として、各々のキーに対応して直列に配列した第２の抵抗の抵抗値について各々のキーとの対応を入れ替えることで区別するようにしたことにより、配線板を共用とし、操作部各々の識別のための回路や配線などを追加せず、制御手段に対応していない操作部の誤接続を動作確認にて認識できる加熱調理器を安価にて提供することができる。
【００１５】
第４の発明は、特に、第１の発明において、第１の操作部と第２の操作部は各々複数のキーを有し、各々のキーに直列に配列した第３の抵抗とキーとの分圧によるキーの操作信号を所定電位より高電位か低電位かを第１の制御手段または第２の制御手段が判断してキー入力を判定するものとし、第１の操作部と第２の操作部は、配線板を共用として、使用しないキーに並列にジャンパー線などの短絡手段を接続して強制的に使用しないキーの操作信号を出力し、第１の制御手段は有効な特定のキー操作入力を電源起動直後から所定の時間以上検知すると第１の操作部ではない第２の操作部が接続されていると判断するようにしたことにより、配線板を共用とし、操作部各々の識別のための信号用の配線などを追加せず、制御手段に対応していない操作部の誤接続を制御手段が認識できる加熱調理器を安価にて提供することができる。
【００１６】
第５の発明は、特に、第４の発明において、短絡手段は使用しないキーの実装穴に実装するものとしたことにより、短絡手段用の専用の実装穴を別途確保する必要が無く高密度の配線板にも利用することができる加熱調理器を安価にて提供することができる。
【００１７】
第６の発明は、特に、第１〜５のいずれか１つの発明において、第１の制御手段または第２の制御手段に接続して機器の状態などを表示する表示部を備え、第２の制御手段が本来キーとして設定していないキーの操作信号を入力することにより操作部の誤接続を認識したときには前記表示部に異常表示を行うものとしたことにより、対応しない操作部の誤接続を制御手段が認識したときには表示部にて製造者や修理業者などに明確に操作部の誤接続を知らしめることができる加熱調理器を提供することができる。
【００１８】
以下、本発明の実施の形態について、図面を参照しながら説明する。なお、本実施の形態によって本発明が限定されるものではない。
【００１９】
（実施の形態１）
図１、図２は本発明の第１の実施の形態における加熱調理器の第１形態と第２形態および誤接続の第１形態と第２形態を示すものである。
【００２０】
図１（ａ）は本発明の第１の実施の形態における加熱調理器の第１形態のブロック図である。
【００２１】
図１（ａ）において、調理物を入れる鍋などを加熱するランプヒータ、電磁誘導加熱コイルなどの加熱手段１と、加熱手段１を制御するマイクロコンピュータなどで構成する第１の制御手段２と、使用者の操作情報を第１の制御手段２に伝達する第１の操作部３と、第１の制御手段２を経由して加熱手段１や第１の操作部３など加熱調理器全体へ電源を供給する電源部４、第１の制御手段２からの指示を受けてタイマー時間やエラー情報などを表示する表示部９などにより構成している。
【００２２】
また、第１の操作部３は、電源部４から供給された操作部電源Ｖｃと操作部電源グランドＶｇから生成する電位を操作信号として第１の制御手段２へ入力している。
【００２３】
第１の操作部３は、操作すると回路を短絡するスイッチで構成し、加熱手段１にて調理物を加熱開始したり加熱停止したりする指示をだすための第１のスイッチＳ１と、所定時間加熱後に自動停止させるためのタイマー機能の設定時間を増加させる第２のスイッチＳ２と、タイマー機能の設定時間を減少させる第３のスイッチＳ３とを有している。
【００２４】
図２（ａ）は本発明の第１の実施の形態における加熱調理器の第１形態の第１の操作ユニット図であり、図１（ａ）の第１の操作部３の各スイッチに対応している。
【００２５】
図２（ａ）において、第１の操作ユニット５の加熱切／入キーＫ１を操作すると第１のスイッチＳ１（図１（ａ））を短絡し、タイマーアップキーＫ２を操作すると第２のスイッチＳ２を短絡し、タイマーダウンキーＫ３を操作すると第３のスイッチＳ３を短絡する構成としている。
【００２６】
以上のように構成された本実施の形態の加熱調理器の第１形態において、第１の操作ユニット５（図２）のいずれのキーも操作しないときは、操作部電源Ｖｃから共通抵抗Ｒｃを経由して操作部電源Ｖｃの電位がそのまま操作信号として第１の制御手段２に入力される（図１（ａ））。
【００２７】
操作信号が入力された第１の制御手段２は、入力電位が操作部電源Ｖｃ付近であれば操作入力は行われていないと判断して状態の変更はしない。
【００２８】
一方、加熱手段１にて調理物の加熱を開始しようと加熱切／入キーＫ１（図２（ａ））を操作すると第１のスイッチＳ１（図１（ａ））は回路を短絡するので、操作部電源Ｖｃと操作部電源グランドＶｇの電位差における共通抵抗Ｒｃと第１のスイッチＳ１に直列に接続した第１の抵抗Ｒ１との分圧電位が操作信号として第１の制御手段２に入力され、第１の制御手段２は加熱手段１を制御して加熱を開始する。
【００２９】
なお、加熱を開始する加熱切／入キーは、本実施の形態における加熱調理器の第１形態において、最も使用頻度の高いキーであり、製造者や修理業者が組立や修理を終えた後の動作確認時には必ず操作するキーである。
【００３０】
同様に、タイマーアップキーＫ２を操作したときは、共通抵抗Ｒｃと第２の抵抗との分圧電位が操作信号となり、また、タイマーダウンキーＫ３を操作したときは共通抵抗Ｒｃと第３の抵抗との分圧電位が操作信号となる。
【００３１】
第１の抵抗Ｒ１と第２の抵抗Ｒ２と第３の抵抗Ｒ３は、各々抵抗値が異なるように設定しており、各々のスイッチを操作したときの操作信号は操作部電源グランドＶｇから操作部電源Ｖｃまでの電位の中で明確に区別できるように抵抗値を設定している。
【００３２】
図１（ｂ）は本発明の第１の実施の形態における加熱調理器の第２形態のブロック図である。
【００３３】
図１（ｂ）において、本実施の形態１における加熱調理器の第２形態は、本実施の形態１における加熱調理器の第１形態と類似の構成であるが、有する機能は異なっており、第１の制御手段２の代わりに機能の異なる第２の制御手段６を備え、第１の操作部３の代わりにキーの配列の異なる第２の操作部７を備える。
【００３４】
本実施の形態１における加熱調理器の第１形態と第２形態において、第１の操作部３と第２の操作部７は配線板を共用としているが、第２の操作部７は第１の操作部３の第３のスイッチＳ３および直列に配列していた第３の抵抗Ｒ３は配置せず、第１の操作部３の第１のスイッチＳ１に直列に配置していた第１の抵抗Ｒ１の位置に第３の抵抗Ｒ３を配置したものである。
【００３５】
図２（ｂ）は本発明の第１の実施の形態における加熱調理器の第２形態の第２の操作ユニット図であり、図１（ｂ）の第２の操作部７の第１のスイッチＳ１と第２のスイッチＳ２に対応している。
【００３６】
図２（ｂ）において、第２の操作ユニット８の加熱切／入キーＫ１を操作すると第１のスイッチＳ１（図１（ｂ））を短絡し、また、タイマーキーＫ４を操作すると第２のスイッチＳ２を短絡する構成としている。
【００３７】
以上のように構成された本実施の形態１の加熱調理器の第２形態において、第２の操作ユニット８（図２（ｂ））のいずれのキーも操作しないときは、操作部電源Ｖｃから共通抵抗Ｒｃを経由して操作部電源Ｖｃの電位がそのまま操作信号として第２の制御手段６に入力される（図１（ｂ））。
【００３８】
操作信号が入力された第２の制御手段６は、入力電位が操作部電源Ｖｃ付近であれば操作入力は行われていないと判断して状態の変更はしない。
【００３９】
一方、加熱手段１にて調理物の加熱を開始しようと加熱切／入キーＫ１（図２（ｂ））を操作すると第１のスイッチＳ１（図１（ｂ））は回路を短絡するので、操作部電源Ｖｃと操作部電源グランドＶｇの電位差における共通抵抗Ｒｃと第１のスイッチＳ１に直列に接続した第３の抵抗Ｒ３との分圧電位が操作信号として第２の制御手段６に入力され、第２の制御手段６は加熱手段１を制御して加熱を開始する。
【００４０】
なお、加熱を開始する加熱切／入キーは、本実施の形態１における加熱調理器の第１形態と同様に、本実施の形態１における加熱調理器の第２形態において、最も使用頻度の高いキーであり、製造者や修理業者が組立や修理を終えた後の動作確認時には必ず操作するキーである。
【００４１】
同様に、タイマーキーＫ４を操作したときは、共通抵抗Ｒｃと第２の抵抗Ｒ２との分圧電位が操作信号となり、タイマーキーＫ４を操作した操作信号を入力した第２の制御手段６は所定時間加熱後に自動停止させるためのタイマー機能の設定時間を増加させ、設定時間が所定の最大時間に達した場合には所定の最小時間に変更することでタイマーキーＫ４の１つのキーだけでタイマー時間の設定ができるようにしている。
【００４２】
以上のように構成された加熱調理器について、各制御手段と各操作部とが誤接続された場合の動作、作用を説明する。
【００４３】
図１（ｃ）は本発明の第１の実施の形態における加熱調理器の誤接続の第１形態のブロック図であり、第１の制御手段２に本来接続されるべき第１の操作部３に代わり第２の操作部７が誤接続された誤接続の第１形態を示している。
【００４４】
図１（ｃ）において、操作ユニットが図２の（ａ）本発明の第１の実施の形態における加熱調理器の第１形態の第１の操作ユニット図あるいは（ｂ）本発明の第１の実施の形態における加熱調理器の第２形態の第２の操作ユニット図に示すものであっても、動作確認時に最も使用頻度の高い加熱切／入キーＫ１を操作するとスイッチＳ１が短絡される。
【００４５】
すると、第２の操作部７においてスイッチＳ１が短絡されると第１の制御手段２に入力される操作信号は共通抵抗Ｒｃと第３の抵抗Ｒ３の分圧電位となり、第１の制御手段２は第１の操作部３におけるタイマーダウンキーＫ３が操作されたと判断し、加熱開始しない。
【００４６】
これにより、動作確認時の誤作動が明確に認識でき、組立検査時、修理業者の修理後検査時に確実に誤接続を認識することができる。
【００４７】
図１（ｄ）は本発明の第１の実施の形態における加熱調理器の誤接続の第２形態のブロック図であり、第２の制御手段６に本来接続されるべき第２の操作部７に代わり第１の操作部３が誤接続された誤接続の第２形態を示している。
【００４８】
図１（ｄ）において、操作ユニットが図２の（ａ）本発明の第１の実施の形態における加熱調理器の第１形態の第１の操作ユニット図あるいは（ｂ）本発明の第１の実施の形態における加熱調理器の第２形態の第２の操作ユニット図に示すものであっても、動作確認時に最も使用頻度の高い加熱切／入キーＫ１を操作するとスイッチＳ１が短絡される。
【００４９】
すると、第１の操作部３においてスイッチＳ１が短絡されると第２の制御手段６に入力される操作信号は共通抵抗Ｒｃと第１の抵抗Ｒ１の分圧電位となり、第２の制御手段６は第２の操作部７においては対応しない電位であるため第２の制御手段６はこの時点で誤接続であると判断して加熱手段１による加熱を開始せず、表示部９にて操作部の誤接続を意味するエラー表示を行う。
【００５０】
これにより、動作確認時の誤動作が明確に認識でき、組立検査時、修理業者の修理後検査時に確実に誤接続を認識することができる。
【００５１】
（実施の形態２）
図３は本発明の第２の実施の形態における加熱調理器の第１形態と第２形態および誤接続の第１形態と第２形態を示すものである。以下、図１と同様の内容については説明を割愛する。
【００５２】
図３（ａ）は本発明の第２の実施の形態における加熱調理器の第１形態のブロック図である。
【００５３】
図３（ａ）において、加熱手段１と、加熱手段１を制御するマイクロコンピュータなどで構成する第３の制御手段１２と、使用者の操作情報を第３の制御手段１２に伝達する第３の操作部１３と、電源部４、表示部９などにより構成している。
【００５４】
また、第３の操作部１３は、電源部４から供給された操作部電源Ｖｃと操作部電源グランドＶｇから選択するいずれかの電位を操作信号として第３の制御手段１２へ入力している。
【００５５】
第３の操作部１３は、操作すると回路を短絡するスイッチで構成し、加熱手段１にて調理物を加熱開始したり加熱停止したりする指示をだすための第１のスイッチＳ１と、所定時間加熱後に自動停止させるためのタイマー機能の設定時間を増加させる第２のスイッチＳ２と、タイマー機能の設定時間を減少させる第３のスイッチＳ３とを有している。
【００５６】
図２（ａ）は本発明の第２の実施の形態における加熱調理器の第１形態の第１の操作ユニットを示しており、第３の操作部１３の各スイッチに対応している。
【００５７】
図２（ａ）において、第１の操作ユニット５の加熱切／入キーＫ１を操作すると第１のスイッチＳ１を短絡し、また、タイマーアップキーＫ２を操作すると第２のスイッチＳ２を短絡し、タイマーダウンキーＫ３を操作すると第３のスイッチＳ３を短絡する構成としている。
【００５８】
以上のように構成された本実施の形態２の加熱調理器の第１形態において、第１の操作ユニット５の加熱切／入キーＫ１を操作しないときは操作部電源Ｖｃから第１のプルアップ抵抗Ｒｕ１を経由して操作部電源Ｖｃの電位がそのまま操作信号１として第３の制御手段１２に入力され、第３の制御手段１２は入力電位が所定の電位よりも高いと操作入力は行われていないと判断して状態の変更はしない。
【００５９】
同様にタイマーアップキーＫ２、タイマーダウンキーＫ３を操作しないときも操作信号２および操作信号３は第２のプルアップ抵抗Ｒｕ２または第３のプルアップ抵抗Ｒｕ３を経由して操作部電源Ｖｃの電位となり、第３の制御手段１２は、操作入力は行われていないと判断し状態の変更はしない。
【００６０】
一方、加熱手段１にて調理物の加熱を開始しようと加熱切／入キーＫ１を操作すると第１のスイッチＳ１は回路を短絡するので、操作信号１は操作部電源グランドＶｇの電位となり、第３の制御手段１２に入力され、第３の制御手段１２は加熱切／入キーＫ１を操作したと判断し、加熱手段１を制御して加熱を開始する。
【００６１】
同様に、タイマーアップキーＫ２を操作したときは操作信号２が操作部電源グランドＶｇの電位となり、タイマーダウンキーＫ３を操作したときは操作信号３が操作部電源グランドＶｇの電位となり、第３の制御手段１２は各々のキー操作に従った動作を行う。
【００６２】
図３（ｂ）は本発明の第２の実施の形態における加熱調理器の第２形態のブロック図である。
【００６３】
本実施の形態２における加熱調理器の第２形態は、本実施の形態２における加熱調理器の第１形態と類似の構成であるが、有する機能は異なっている。
【００６４】
図３（ｂ）において、第３の制御手段１２の代わりに機能の異なる第４の制御手段１６を備え、第３の操作部１３の代わりにキーの配列の異なる第４の操作部１７を備える。
【００６５】
第３の操作部１３と第４の操作部１７は配線板を共用としているが、第３の操作部１３における第３のスイッチＳ３は配置せず、代わりに短絡手段ＪＰを配置したものである。
【００６６】
図２（ｂ）は実施の形態１の加熱調理器の第２の形態における第２の操作ユニットと同様に、本実施の形態２の加熱調理器の第２形態における第２の操作ユニットを示しており、図３の（ｂ）に存在する第１のスイッチＳ１と第２のスイッチＳ２に対応している。
【００６７】
第２の操作ユニット８（図２（ｂ））において、加熱切／入キーＫ１を操作すると第１のスイッチＳ１を短絡し、また、タイマーキーＫ４を操作すると第２のスイッチＳ２を短絡するようにしている。
【００６８】
以上のように構成された本実施の形態２の加熱調理器の第２形態において、第２の操作ユニット８（図２（ｂ））の加熱切／入キーＫ１を操作しないときは操作部電源Ｖｃから第１のプルアップ抵抗Ｒｕ１を経由して操作部電源Ｖｃの電位がそのまま操作信号１として第４の制御手段１６に入力され、第４の制御手段１６は入力電位が所定の電位よりも高いと操作入力は行われていないと判断して状態の変更はしない。
【００６９】
同様にタイマーキーＫ４（図２（ｂ））を操作しないときの操作信号２は操作部電源Ｖｃの電位となり、第４の制御手段１６は操作入力は行われていないと判断し、状態の変更はしない。
【００７０】
但し、操作信号３は操作部電源グランドＶｇ電位であるが、第４の制御手段１６は操作信号３の入力が操作部電源グランドＶｇ電位であれば問題ないと判断し同様に状態の変更はしない。
【００７１】
一方、加熱手段１にて調理物の加熱を開始しようと加熱切／入キーＫ１を操作すると第１のスイッチＳ１は回路を短絡するので、操作信号１は操作部電源グランドＶｇの電位となり、第４の制御手段１６に入力され、第４の制御手段１６は加熱切／入キーＫ１を操作したと判断し加熱手段１を制御して加熱を開始する。
【００７２】
同様に、タイマーキーＫ４を操作したときは操作信号２が操作部電源グランドＶｇの電位となり、タイマーキーＫ４を操作した操作信号を入力した第４の制御手段１６は所定時間加熱後に自動停止させるためのタイマー機能の設定時間を増加させ、設定時間が所定の最大時間に達した場合には所定の最小時間に変更することでタイマーキーＫ４の１つのキーだけでタイマー時間の設定ができるようにしている。
【００７３】
以上のように構成された加熱調理器について、各制御手段と各操作部とが誤接続された場合の動作、作用を説明する。
【００７４】
図３の（ｃ）は本発明の第２の実施の形態における加熱調理器の誤接続の第１形態のブロック図であり、第３の制御手段１２に本来接続されるべき第３の操作部１３に代わり第４の操作部１７が誤接続された誤接続の第１形態を示している。
【００７５】
図３（ｃ）において、操作ユニットが図２の（ａ）本発明の第２の実施の形態における加熱調理器の第１形態の第１の操作ユニット図あるいは（ｂ）本発明の第２の実施の形態における加熱調理器の第２形態の第２の操作ユニット図に示すものであっても、電源部４の電源投入直後から操作信号３として操作部電源グランドＶｇの電位が第３の制御手段１２に入力される。
【００７６】
この状態は、本実施の形態２の加熱調理器の第１の形態において使用者がタイマーダウンキーＫ３を操作しながら電源部４の電源を投入した場合と同じ入力となるが、電源投入時からある一定時間以上継続してタイマーダウンキーＫ３を押され続けることは一般的に無いと判断できるので、例えば、電源投入直後から５秒程度の所定時間以上継続的に操作信号３が操作部電源グランドＶｇ電位であるときには操作部の誤接続であると判断して、加熱手段１による加熱を開始せず、表示部９にて操作部の誤接続を意味するエラー表示を行う。
【００７７】
これにより、動作確認時の誤動作が明確に認識でき、組立検査時、修理業者の修理後検査時に確実に誤接続を認識できる。
【００７８】
図３（ｄ）は本発明の第２の実施の形態における加熱調理器の誤接続の第２形態のブロック図であり、第４の制御手段１６に本来接続されるべき第４の操作部１７に代わり第３の操作部１３が誤接続された誤接続の第２形態を示している。
【００７９】
図３（ｄ）において、操作ユニットが図２の（ａ）本発明の第２の実施の形態における加熱調理器の第１形態の第１の操作ユニット図あるいは（ｂ）本発明の第２の実施の形態における加熱調理器の第２形態の第２の操作ユニット図に示すものであっても、電源部４の電源投入直後から操作信号３として操作部電源Ｖｃの電位がプルアップ抵抗Ｒｕ３を経由して第４の制御手段１６に入力される。
【００８０】
第４の制御手段１６は操作信号３が操作部電源Ｖｃ電位で入力された時点で誤接続であると判断して加熱手段１による加熱を開始せず、表示部９にて操作部の誤接続を意味するエラー表示を行う。
【００８１】
これにより、動作確認時の誤動作が明確に認識でき、組立検査時、修理業者の修理後検査時に確実に誤接続を認識できる。
【００８２】
ところで、本誤接続の第２形態において操作ユニットが図２（ａ）の第１の操作ユニット５であった場合タイマーダウンキーＫ３を操作しながら電源部４の電源投入をすると第４の操作部１７が接続されているのと同じ操作信号３入力となるが、タイマーダウンキーＫ３が操作され続けることは無く、電源投入時に万一タイマーダウンキーＫ３が操作されていたとしてもその後タイマーダウンキーＫ３の操作を解除すると操作信号３入力は操作部電源Ｖｃ電位となり、この時点で誤接続であると判断して加熱手段１による加熱を開始せず、表示部９にて操作部の誤接続を意味するエラー表示を行う。
【００８３】
これにより、動作確認時の誤動作が明確に認識でき、組立検査時、修理業者の修理後検査時に確実に誤接続を認識できる。
【００８４】
以上のように、本実施の形態２においては、操作部を誤接続したときに最も使用頻度の高い加熱切／入キーを操作すると誤作動するようにすることにより、簡単かつ確実に誤接続を動作確認にて認識することができ、不良製品の発生を抑制できる加熱調理器を提供することができる。
【００８５】
また、操作部を誤接続した場合は加熱開始キーを操作しても加熱開始しないようにすることにより、より簡単かつ安全に誤接続を動作確認にて認識することができる加熱調理器を提供することができる。
【００８６】
また、操作部の複数のキーに共用の抵抗と、各々のキーと直列に配列した抵抗との分圧による電圧レベルのキーの操作信号を制御手段に伝え、操作部は配線板を共用として、各々のキーに対応して直列に配列した抵抗の抵抗値について各々のキーとの対応を入れ替えることで操作部を区別するようにしたことにより、配線板を共用でき、操作部各々の識別のための回路や配線などを追加せず、対応しない操作部の誤接続を動作確認にて認識することができ、加熱調理器を安価にて提供することができる。
【００８７】
また、各々のキーに直列に配列した抵抗とキーとの分圧によるキーの操作信号を所定電位より高電位か低電位かを制御手段が判断してキー入力を判定し、操作部は使用しないキーに並列にジャンパー線などの短絡手段を接続して強制的に使用しないキーの操作信号を出力し、制御手段は有効な特定のキー操作入力を電源起動直後から所定の時間以上検知すると操作部が誤接続されていると判断するようにしたことにより、配線板を共用でき、操作部各々の識別のための信号用の配線などを追加せず、制御手段に対応していない操作部の誤接続を制御手段が認識することができ、加熱調理器を安価にて提供することができる。
【００８８】
また、使用しないキーに並列に実装する短絡手段は、使用しないキーの実装穴に実装するものとしたことにより、短絡手段用の専用の実装穴を別途確保する必要が無く高密度の配線板にも利用することができ、加熱調理器を安価にて提供することができる。
【００８９】
また、制御手段が本来キーとして設定していないキーの操作信号を入力することにより操作部の誤接続を認識したときには表示部に異常表示を行うものとしたことにより、対応しない操作部の誤接続を制御手段が認識したときには、表示部にて製造者や修理業者などに明確に操作部の誤接続を知らしめることができる加熱調理器を提供することができる。
【００９０】
なお、本実施の形態において、加熱手段１は電熱ヒータやガス火などどのような熱源を用いた場合でも同様の効果が得られる。
【００９１】
また、本実施の形態の入力手段としてキースイッチを用いているが、タッチパネルやアナログ入力など他の手段であってもリレーやトランジスタなどを介して最終的に操作信号の出力構成が同等であれば同様の効果が得られる。
【産業上の利用可能性】
【００９２】
以上のように、本発明にかかる加熱調理器は、操作部の誤接続を最も使用頻度の高い入力手段を操作することで誤作動させて認識させることができるので、熱源の如何にかかわらず各種調理器として、または調理器以外にも操作部のある各種機器にも適用できる。
【符号の説明】
【００９３】
２    第１の制御手段
３    第１の操作部
６    第２の制御手段
７    第２の操作部
Ｋ１  加熱切／入キー（加熱開始キー）
【図１】
2011187358.tif 000003
【図２】
2011187358.tif 000004
【図３】
2011187358.tif 000005